(57)【要約】【課題】  洋服の背中面に上下方向にスライドするよう配置されているファスナーの開閉操作を容易とし、持ち運びもし易いファスナー開閉補助具を提供する。【解決手段】  洋服１０の背中面に上下方向にスライドするよう配置されているファスナー１２に取り付ける細長に構成された第１部材１１０と、当該第1部材１１０に取り付ける細長に構成された第２部材１２０とからなり、第１部材１１０は、一端側にファスナー１２に取り付けられるフック部１１２を備えると共に他端側に第１リング１１６を備え、第２部材１２０は、一端側に第１リング１１６に取り付けられるフック部１２２を備えると共に他端側に第２リング１２６を備え、当該第２リング１２６は、指を挿入できる程度のサイズとされている。【選択図】図１
0003234222.tif 000002
【実用新案登録請求の範囲】
【請求項１】
洋服の背中面に上下方向にスライドするよう配置されているファスナーに取り付けて使用するファスナー開閉補助具であって、
前記ファスナーに取り付ける細長に構成された第１部材と、当該第1部材に取り付ける細長に構成された第２部材とからなり、
前記第１部材は、一端側に前記ファスナーに取り付けられるフック部を備えると共に他端側に第１リングを備え、
前記第２部材は、一端側に前記第１リングに取り付けられるフック部を備えると共に他端側に第２リングを備え、
当該第２リングは、指を挿入できる程度のサイズとされている
ことを特徴とするファスナー開閉補助具。
【請求項２】
請求項１において、
前記第２部材の長さは、前記第１部材より長くなるよう構成されている
ことを特徴とするファスナー開閉補助具。
【考案の詳細な説明】
【技術分野】
【０００１】
本考案は、洋服の背中面に上下方向にスライドするよう配置されているファスナーに取り付けて使用するファスナー開閉補助具に関する。
【背景技術】
【０００２】
従来から、洋服などの背中面に上下方向にスライドするよう配置されているファスナーの開閉を容易に行うための工夫が行われてきた。
【０００３】
例えば特許文献１においては、長尺部材の一端にファスナーの穴に引っ掛ける鉤部を備えた補助具を使って、背面のファスナーを容易に開閉しようとするものである。
【先行技術文献】
【特許文献】
【０００４】
【特許文献１】実全昭５９−０２４７０７号公報
【考案の概要】
【考案が解決しようとする課題】
【０００５】
しかしながら、特許文献１記載の補助具では、開閉の都度ファスナーの穴に鉤部を引っ掛けて操作する必要があるため、特に洋服を着た状態で鉤部を引っ掛ける操作は相当の慣れが必要であった。また、持ち運びにも不便である。
【０００６】
そこで本考案は、こういった問題点を解決するべくなされたものであって、洋服の背中面に上下方向にスライドするよう配置されているファスナーの開閉操作を容易とし、持ち運びもし易いファスナー開閉補助具を提供する事をその課題としている。
【課題を解決するための手段】
【０００７】
上記課題を解決するべく、本願考案は、洋服の背中面に上下方向にスライドするよう配置されているファスナーに取り付けて使用するファスナー開閉補助具であって、前記ファスナーに取り付ける細長に構成された第１部材と、当該第1部材に取り付ける細長に構成された第２部材とからなり、前記第１部材は、一端側に前記ファスナーに取り付けられるフック部を備えると共に他端側に第１リングを備え、前記第２部材は、一端側に前記第１リングに取り付けられるフック部を備えると共に他端側に第２リングを備え、当該第２リングは、指を挿入できる程度のサイズとされていることを特徴とする。
【０００８】
このような構成を採用した事によって、ファスナーの開閉操作が容易となる。特に、第１部材と第２部材が分離できる構成としたことによって、第１部材だけをファスナーに取り付けたまま洋服を着た状態で活動でき邪魔とならない。また、操作時は第２部材を取り付けて操作することにより、ファスナーの開閉操作を非常に行い易くなっている。更に、操作時に取り付ける第２部材の端部には指を入れることができる程度のサイズに構成された第２リングが備わっているので、指を当該第２リングに挿入して操作できるので、指で特定の部材を把持し続けるような余計な力も必要とならない。
【０００９】
また、前記第２部材の長さは、前記第１部材より長くなるよう構成するのが望ましい。
【００１０】
このような構成とすれば、第1部材を洋服の中に収容し易くなると共に、第２部材を取り付けた時の全体の長さを確保できるので、開閉操作が容易となる。
【考案の効果】
【００１１】
本考案を適用することで、洋服の背中面に上下方向にスライドするよう配置されているファスナーの開閉操作を容易とし、持ち運びもし易いファスナー開閉補助具を提供することができる。
【図面の簡単な説明】
【００１２】
【図１】本考案の実施形態の一例であるファスナー開閉補助具の概略構成図である。
【図２】本考案の実施形態の一例であるファスナー開閉補助具図の使用手順を示した図であって、開いている状態のファスナーに当該ファスナー開閉補助具を取り付けた状態を示した図である。
【図３】本考案の実施形態の一例であるファスナー開閉補助具図の使用手順を示した図であって、ファスナー開閉補助具を引き上げてファスナーを閉めた状態を示した図である。
【図４】本考案の実施形態の一例であるファスナー開閉補助具図の使用手順を示した図であって、第２部材を取り外し第１部材のみとなった状態を示した図である。
【図５】本考案の実施形態の一例であるファスナー開閉補助具図の使用手順を示した図であって、残った第１部材を洋服の内側に仕舞った状態を示した図である。
【考案を実施するための形態】
【００１３】
以下、添付図面を参照しつつ、本考案の実施形態の一例であるファスナー開閉補助具１００について説明を加える。なお、図面理解容易の為、各部の大きさや寸法を誇張して表現している部分があり、実際の製品と必ずしも一致しない部分があることを付記しておく。また各図面は符号の向きに見るものとし、当該向きを基本に上下左右、手前、奥と表現する。
【００１４】
〈ファスナー開閉補助具の構成〉
本考案の実施形態の一例として図１に示すファスナー開閉補助具１００は、洋服の背中面に上下方向にスライドするよう配置されているファスナーに取り付けて使用するためのものである。
【００１５】
ファスナー開閉補助具１００は、洋服１０のファスナー１２に取り付ける細長に構成された第１部材１１０と、当該第1部材１１０に取り付ける細長に構成された第２部材１２０とからなる。
【００１６】
第１部材１１０は、紐様に構成された延長部１１４の一端側に、ファスナー１２に取り付けられるフック部１１２を備えると共に、他端側に第１リング１１６を備えている。
【００１７】
第２部材１２０は、紐様に構成された延長部１２４の一端側に、第１リング１１６に取り付けられるフック部１２２を備えると共に、他端側に第２リング１２６を備えている。この第２リング１２６は、指を挿入できる程度のサイズとされている。
【００１８】
また、第２部材１２０の長さは、第１部材１１０より長くなるよう構成されている。
【００１９】
〈ファスナー開閉補助具の作用・機能〉
ワンピースなどの洋服を着るときは、図２に示しているように、第１部材１１０と第２部材１２０と繋げた状態で、ファスナー開閉補助具１００をファスナー１２に取り付ける。その上で第２リング１２６に指を通して上方に引き上げる（図３）。これにより洋服１０のファスナー１２が上方にスライドして閉まる。
【００２０】
その後、第２部材１２０を取り外して第部材だけを洋服１０側（ファスナー１２側）に残すようにする（図４）。
【００２１】
最後に、残った第１部材１１０は、ファスナー１２に繋げた状態のまま洋服の中に入れて外部に露出しないようにする。以上でファスナー１２を閉じる操作は終了である。
【００２２】
ファスナー１２を開ける操作は上記と逆の手順を辿る。
【００２３】
上記説明した通り、本願考案に係るファスナー開閉補助具１００は、ファスナー１２に取り付ける細長に構成された第１部材１１０と、当該第1部材１１０に取り付ける細長に構成された第２部材１２０とからなり、第１部材１１０は、一端側にファスナー１２に取り付けられるフック部１１２を備えると共に他端側に第１リング１１６を備え、第２部材１２０は、一端側に第１リング１１６に取り付けられるフック部１２２を備えると共に他端側に第２リング１２６を備え、当該第２リング１２６は、指を挿入できる程度のサイズとされていた。
【００２４】
このような構成を採用した事によって、ファスナー１２の開閉操作が容易となる。特に、第１部材１１０と第２部材１２０が分離できる構成としたことによって、第１部材１１０だけをファスナー１２に取り付けたまま洋服を着た状態で活動でき邪魔とならない。また、操作時は第２部材１２０を取り付けて操作することにより、ファスナー１２の開閉操作を非常に行い易くなっている。更に、操作時に取り付ける第２部材１２０の端部には指を入れることができる程度のサイズに構成された第２リング１２６が備わっているので、指をこの第２リング１２６に挿入して操作できるので、指で特定の部材を把持し続けるような余計な力も必要とならない。
【００２５】
また、第２部材１２０の長さは、第１部材１１０より長くなるよう構成されていた。
【００２６】
このような構成としたことによって、第１部材１１０を洋服の中に収容し易くなると共に、第２部材１２０を取り付けた時の全体の長さを確保できるので、開閉操作が更に容易となっている。
【００２７】
〈その他の構成例〉
上記の説明及び図面では、延長部が紐様の部材として示しているが、それ以外に例えばチェーンのような部材で構成してもよい。
【符号の説明】
【００２８】
１０・・・洋服
１２・・・ファスナー
１００・・・ファスナー開閉補助部
１１０・・・第１部材
１１２・・・フック部
１１４・・・延長部
１１６・・・第１リング
１２０・・・第２部材
１２２・・・フック部
１２４・・・延長部
１２６・・・第２リング
【図１】
0003234222.tif 000003
【図２】
0003234222.tif 000004
【図３】
0003234222.tif 000005
【図４】
0003234222.tif 000006
【図５】
0003234222.tif 000007